(57)【要約】【課題】セル内の過剰な通信混雑のレベルに基づいて無線ネットワークを介して送られる画像データのデータ速度を調整する。【解決手段】ネットワークモニタリングシステムは、ネットワークインタフェースから収集したデータトラフィックに基づいてネットワークセル内の過剰レベルを特定する。セル過剰レベルが第１の閾値に達すると、画像コード変換機器に第１の警告が送られる。画像コード変換機器は、過剰セル内の一又はそれ以上の加入者に送られている画像データを調整する。データ速度の調整は、加入者プロファイル又はユーザー機器のタイプに応じて行うこともできる。セル過剰レベルが第２の閾値以下に降下した場合、ネットワークモニタリングシステムは、データ速度が増やせることを示す第２の警告を送る。【選択図】        図３
2012142946.tif 000002
【特許請求の範囲】
【請求項１】
無線ネットワーク内の帯域利用を制御する方法であって、
ネットワークインタフェースとユーザー機器からデータを収集し、
収集されたデータからセルの過剰レベルを決定し、
セルの最大の容量以下の点に設定されている第１の閾値を越えた過剰レベルをいつそのセルが有するのかを特定し、
セル過剰レベルが第１の閾値を越えたときに画像コード変換機器に第１の警告を送り、
第１の閾値と同じか又はそれ以下に設定されている第２の閾値以下にいつセル過剰レベルが降下したのかを特定し、
セル過剰レベルが第２の閾値以下であるときには画像コード変換機器に第２の警告を送る方法。
【請求項２】
ネットワークインタフェースからデータを収集するように調整され、一又はそれ以上のインタフェースに連結された複数のモニタリングプローブと、
ネットワークインタフェースから収集されたデータを分析するように調整されたプロセッサからなる、無線ネットワーク内の画像データ速度を制御するシステムであって、
該プロセッサが、
収集されたデータからセルの過剰レベルを決定し、
第１の閾値を越える過剰レベルを有するセルを特定し、
セルが第１の閾値を越える場合に第１の警告をネットワークポリシー管理エンティティに送り、
第１の閾値と同じか又はそれ以下の第２の閾値以下の過剰レベルを有するセルを特定し、
セルが第２の閾値を下回る場合には第２の警告をネットワークポリシー管理エンティティに送るシステム。
【請求項３】
セル内において現在アクティブな加入者に関連するポリシーを特定し、該セルの現在の過剰レベルに基づいて該ポリシーを実施するように調整されているネットワークポリシー管理エンティティと、
ネットワークインタフェースからデータを収集するように調整され、一又はそれ以上のインタフェースに連結された複数のモニタリングプローブと、
ネットワークインタフェースから収集されたデータを分析するように調整されたプロセッサであって、該プロセッサが、
収集されたデータからセル過剰レベルを決定し、
セルが第１の閾値を越えるセル過剰レベルを有する場合に第１の警告をネットワークポリシー管理エンティティに送り、
第１の閾値と同じか又はそれ以下の第２の閾値を下回るセル過剰レベルをセルが有する場合に第２の警告をネットワークポリシー管理エンティティに送るものと、更に、
インタフェースに連結された画像コード変換機器であって、セル内の加入者に送られている画像データのデータ速度を修正するように調整され、ネットワークポリシー管理エンティティからの指示に基づいて一又はそれ以上の加入者に対する画像データ速度を調整するものと
からなるネットワークポリシーを実施するシステム。
【発明の詳細な説明】
【技術分野】
【０００１】
本発明は、一般的には、移動体データネットワークの加入者に画像コンテンツを提供することに関連し、特には、リアルタイムのネットワーク状況に応じて画像コード変換を修正することに関連する。
【背景技術】
【０００２】
移動体データネットワークがトータルなネットワークトラフィックの先例のない急増を引き続き経験しているので、移動体機器は大量の無線ネットワーク帯域を消費している。このネットワークトラフィックの増加は、ウェブ利用可能なスマートホンと移動体接続されたラップトップコンピュータによって主に行われている。ネットワーク発展傾向全体においては、移動体における画像が、移動体データ帯域を支配的に消費することになっていくと予想される。
【先行技術文献】
【特許文献】
【０００３】
【特許文献１】特表２０１１−５１１３３６号
【発明の概要】
【発明が解決しようとする課題】
【０００４】
移動体データネットワークにおいて急増する帯域要求に関連して、サービスプロバイダは自らの無線ネットワークを拡張してデータ増に引き続き対処しなければならない。しかしながら、無線送信機を帯域伸長に合わせて引き続き追加していくことは、必ずしも可能ではなく、しかも経済的でもない。移動体ネットワークを増築してこれらのトラフィック量を維持することは、費用がかかる。全てのデータは、究極的には、ユーザー機器において始まり若しくは終了するが、これは、不十分な無線リソースへの画像データの送信を要求することとなる。
【課題を解決するための手段】
【０００５】
画像コード変換システムは、無線ネットワークの各セルの過剰な通信混雑のレベル（以下過剰レベルという。）に従って各セル内のユーザー機器における画像データのデータ速度を制御する。本願の実施の形態は、無線ネットワークの帯域利用を制御することに関する。データはネットワークモニタリング機器を用いてネットワークインタフェースとユーザー機器から収集される。このモニタリング機器は、収集されたデータからセルの過剰レベルを決定し、いつセルが第１の閾値を越えた過剰レベルを有するのかを特定する。モニタリングシステムは、セル過剰レベルが第１の閾値を越えたときに画像コード変換機器に第１の警告を送る。この第１の警告は、直接に、画像コード変換機器に送られてもよいし、又は、ネットワークポリシー管理／実施エンティティを介して送られてもよい。そして、モニタリングシステムは、いつセル過剰レベルが第２の閾値以下に降下したのかを特定する。第２の閾値は、第１の閾値と同じか又はそれ以下に設定される。モニタリングシステムは、セル過剰レベルが第２の閾値以下になったときに画像コード変換機器に第２の警告を送る。
【０００６】
モニタリングシステムは、更に、セル内において現在アクティブな加入者を特定し、第１と第２の警告内に加入者の特定子を含めるようにしてもよい。加入者の宛先アドレス及び／又はセル特定子が、第１と第２の警告内に含まれるようにしてもよい。第１の警告は、画像コード変換機器に命じてセル内の加入者に送られている画像データのデータ速度を減少するようにする。第２の警告は、画像コード変換機器に命じてセル内の加入者に送られている画像データのデータ速度を増加するようにする。
【０００７】
モニタリングシステム及び／又はネットワークポリシー管理／実施エンティティ及び／又はコード変換機器は、過剰レベルにあるセル（以下過剰セルという）内の加入者を特定し、その加入者のプロファイルを取り出すようにしてもよい。加入者への画像コード変換速度は、そのプロファイルに応じて調節されるようにしてもよい。また、画像コード変換速度は、過剰セル内の各加入者に送られている画像データのタイプに応じて個別の加入者に対して選択されるようにしてもよい。過剰セル内の個別の加入者に対する新しいデータ速度は、また、その加入者のプロファイルに応じて選択されるようにしてもよい。
【０００８】
ある実施の形態によれば、無線ネットワーク内で画像データ速度を制御するシステムは一又はそれ以上のインタフェースに連結された複数のモニタリングプローブを有し、その
モニタリングプローブがネットワークインタフェースからデータを収集するように調整されている。このシステムは、ネットワークインタフェースから収集されたデータを分析するように調整されたプロセッサを有する。このプロセッサは、収集されたデータからセル過剰レベルを決定し、第１の閾値を越える過剰レベルを有するセルを特定し、セルが第１の閾値を越える場合に第１の警告をネットワークポリシー管理エンティティに送り、第１の閾値と同じか又はそれ以下の第２の閾値以下の過剰レベルを有するセルを特定し、セルが第２の閾値を下回る場合に第２の警告をネットワークポリシー管理エンティティに送る。
【０００９】
ネットワークポリシー管理エンティティは、セル内において現在アクティブである加入者に関連する画像データ速度ポリシーを特定し、現在のセル過剰レベルに基づいて画像データ速度ポリシーを実施するように調整されうる。ネットワークポリシー管理エンティティは、ポリシー実施ポイント（Ｐｏｌｉｃｙ  Ｅｎｆｏｒｃｅｍｅｎｔ  Ｐｏｉｎｔ（ＰＥＰ））ポリシー決定ポイント（Ｐｏｌｉｃｙ  Ｄｅｃｉｓｉｏｎ  Ｐｏｉｎｔ（ＰＤＰ））、ポリシー課金及び制御（Ｐｏｌｉｃｙ  Ｃｈａｒｇｉｎｇ  ａｎｄ  Ｃｏｎｔｒｏｌ（ＰＣＣ））機能、ポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ（ＰＣＲＦ））、又は、ポリシー及び課金実行機能（Ｐｏｌｉｃｙ  ａｎｄ  Ｃｈａｒｇｉｎｇ  Ｅｘｅｃｕｔｉｏｎ  Ｆｕｎｃｔｉｏｎ（ＰＣＥＦ））である。
【００１０】
ネットワークインタフェースは、Ｉｕｂインタフェース、Ｉｕ−ＣＳインタフェース、Ｉｕ−ＰＳインタフェース、Ｓ１−ＭＭＥインタフェース、Ｘ２インタフェース及び／又はＳ１１インタフェースを含んでいることもある。
【００１１】
画像コード変換機器は各ネットワークインタフェースに連結しており、ネットワークポリシー管理エンティティ及び／又はモニタリングシステムの管理下で、過剰セルに送られている画像データのデータ速度を修正する。過剰セル内の一又はそれ以上の加入者に提供される画像データの速度は、加入者プロファイル又はユーザー機器のタイプに基づいている。
【００１２】
本発明の第１態様は、ネットワークインタフェースとユーザー機器からデータを収集し、収集されたデータからセルの過剰レベルを決定し、セルの最大の容量以下の点に設定されている第１の閾値を越えた過剰レベルをいつそのセルが有するのかを特定し、セル過剰レベルが第１の閾値を越えたときに画像コード変換機器に第１の警告を送り、第１の閾値と同じか又はそれ以下に設定されている第２の閾値以下にいつセル過剰レベルが降下したのかを特定し、セル過剰レベルが第２の閾値以下であるときに画像コード変換機器に第２の警告を送る、無線ネットワーク内の帯域利用を制御する方法である。
【００１３】
本発明の第２態様は、上記第１態様において、更に、セル内において現在アクティブである加入者を特定し、そして、第１と第２の警告内に加入者の特定子を含ませることを特徴とする無線ネットワーク内の帯域利用を制御する方法である。
【００１４】
本発明の第３態様は、上記第１態様において、更に、セル内において現在アクティブである加入者の宛先アドレスを特定し、そして、第１と第２の警告内に加入者の宛先アドレスを含ませることを特徴とする無線ネットワーク内の帯域利用を制御する方法である。
【００１５】
本発明の第４態様は、上記第１態様において、更に、セルのセル特定子を特定し、そして、第１と第２の警告内にセル特定子を含ませることを特徴とする無線ネットワーク内の帯域利用を制御する方法である。
【００１６】
本発明の第５態様は、上記第１態様において、第１の警告が、画像コード変換機器に命じてセル内の加入者に送られている画像データのデータ速度を減少するようにすると共に、第２の警告が、画像コード変換機器に命じてセル内の加入者に送られている画像データのデータ速度を増加するようにすることを特徴とする無線ネットワーク内の帯域利用を制御する方法である。
【００１７】
本発明の第６態様は、上記第１態様において、更に、過剰セル内の加入者を特定し、その加入者のプロファイルを取り出し、そして、該プロファイルのデータに応じて加入者への画像コード変換速度を調節することを特徴とする無線ネットワーク内の帯域利用を制御する方法である。
【００１８】
本発明の第７態様は、上記第１態様において、更に、画像コード変換機器を用いて、過剰セル内の加入者についての画像データのデータ速度を減少させることを特徴とする無線ネットワーク内の帯域利用を制御する方法である。
【００１９】
本発明の第８態様は、上記第７態様において、更に、各加入者に送られている画像データのタイプに応じて過剰セル内の個別の加入者に対する新しいデータ速度を選択することを特徴とする無線ネットワーク内の帯域利用を制御する方法である。
【００２０】
本発明の第９態様は、上記第７態様において、更に、加入者プロファイルに応じて過剰セル内の個別の加入者に対する新しいデータ速度を選択することを特徴とする無線ネットワーク内の帯域利用を制御する方法である。
【００２１】
本発明の第１０態様は、ネットワークインタフェースからデータを収集するように調整され、一又はそれ以上のインタフェースに連結された複数のモニタリングプローブと、ネットワークインタフェースから収集されたデータを分析するように調整されたプロセッサからなる無線ネットワーク内の画像データ速度を制御するシステムであって、該プロセッサが、収集されたデータからセルの過剰レベルを決定し、第１の閾値を越える過剰レベルを有するセルを特定し、セルが第１の閾値を越える場合に第１の警告をネットワークポリシー管理エンティティに送り、第１の閾値と同じか又はそれ以下の第２の閾値以下の過剰レベルを有するセルを特定し、セルが第２の閾値を下回る場合には第２の警告をネットワークポリシー管理エンティティに送るシステムである。
【００２２】
本発明の第１１態様は、上記第１０態様において、ネットワークポリシー管理エンティティがセル内において現在アクティブである加入者に関連する画像データ速度ポリシーを特定し、該セルの現在のセル過剰レベルに基づいて画像データ速度ポリシーを実施するように調整されていることを特徴とする無線ネットワーク内の画像データ速度を制御するシステムである。
【００２３】
本発明の第１２態様は、上記第１０態様において、ネットワークポリシー管理エンティティが、ポリシー実施ポイント（Ｐｏｌｉｃｙ  Ｅｎｆｏｒｃｅｍｅｎｔ  Ｐｏｉｎｔ（ＰＥＰ））ポリシー決定ポイント（Ｐｏｌｉｃｙ  Ｄｅｃｉｓｉｏｎ  Ｐｏｉｎｔ（ＰＤＰ））、ポリシー課金及び制御（Ｐｏｌｉｃｙ  Ｃｈａｒｇｉｎｇ  ａｎｄ  Ｃｏｎｔｒｏｌ（ＰＣＣ））機能、ポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ（ＰＣＲＦ））、又は、ポリシー及び課金実行機能（Ｐｏｌｉｃｙ  ａｎｄ  Ｃｈａｒｇｉｎｇ  Ｅｘｅｃｕｔｉｏｎ  Ｆｕｎｃｔｉｏｎ（ＰＣＥＦ））であることを特徴とする無線ネットワーク内の画像データ速度を制御するシステムである。
【００２４】
本発明の第１３態様は、上記第１０態様において、ネットワークインタフェースが無線アクセスネットワーク（Ｒａｄｉｏ  ａｃｃｅｓｓ  Ｎｅｔｗｏｒｋ（ＲＡＮ））であることを特徴とする無線ネットワーク内の画像データ速度を制御するシステムである。
【００２５】
本発明の第１４態様は、上記第１０態様において、ネットワークインタフェースがＩｕｂインタフェースとＩｕ−ＣＳインタフェースとＩｕ−ＰＳインタフェースのうちの少なくとも１つであることを特徴とする無線ネットワーク内の画像データ速度を制御するシステムである。
【００２６】
本発明の第１５態様は、 上記第１０態様において、Ｓ１−ＭＭＥインタフェースとＸ２インタフェースとＳ１１インタフェースのうちの少なくとも１つであることを特徴とする無線ネットワーク内の画像データ速度を制御するシステムである。
【００２７】
本発明の第１６態様は、上記第１０態様において、更に、ネットワークインタフェースに連結していて、ネットワークポリシー管理エンティティの管理下で、過剰セルに送られている画像データのデータ速度を修正するように調整されている画像コード変換機器を有することを特徴とする無線ネットワーク内の画像データ速度を制御するシステムである。
【００２８】
本発明の第１７態様は、セル内において現在アクティブな加入者に関連するポリシーを特定し、該セルの現在の過剰レベルに基づいて該ポリシーを実施するように調整されているネットワークポリシー管理エンティティと、ネットワークインタフェースからデータを収集するように調整され、一又はそれ以上のインタフェースに連結された複数のモニタリングプローブと、ネットワークインタフェースから収集されたデータを分析するように調整されたプロセッサであって、該プロセッサが、収集されたデータからセルの過剰レベルを決定し、セルが第１の閾値を越えるセル過剰レベルを有する場合に第１の警告をネットワークポリシー管理エンティティに送り、第１の閾値と同じか又はそれ以下の第２の閾値を下回るセル過剰レベルをセルが有する場合に第２の警告をネットワークポリシー管理エンティティに送るものと、更に、インタフェースに連結された画像コード変換機器であって、セル内の加入者に送られている画像データのデータ速度を修正するように調整され、ネットワークポリシー管理エンティティからの指示に基づいて一又はそれ以上の加入者に対する画像データ速度を調整するものとからなるネットワークポリシーを実施するシステムある。
【００２９】
本発明の第１８態様は、上記第１７態様において、ネットワークポリシー管理エンティティが、更に、加入者プロファイルに基づいてセル内の一又はそれ以上の加入者に提供されている画像データを制限することにより、ポリシーを実施するように調整されていることを特徴とするネットワークポリシーを実施するシステムである。
【００３０】
本発明の第１９態様は、上記第１７態様において、ネットワークポリシー管理エンティティが、更に、ユーザー機器のタイプに基づいてセル内の一又はそれ以上の加入者に提供されている画像データを制限することにより、ポリシーを実施するように調整されていることを特徴とするネットワークポリシーを実施するシステムある。
【発明の効果】
【００３１】
本願発明に係わる無線ネットワーク内の帯域利用を制御する方法によれば、セル内のトラフィックが過剰となればデータ速度を減少させ、セル内のトラフィックに余裕があればデータ速度を増加することとなるので、無線ネットワークの各セルの過剰レベルに従って各セル内のユーザー機器における画像データのデータ速度を制御して、リアルタイムのネットワーク状況に応じて無線ネットワーク内の帯域利用を修正することができる。また、本願発明に係わる無線ネットワーク内の画像データ速度を制御するシステムは、リアルタイムのネットワーク状況に応じて、無線ネットワークの各セルの過剰レベルに従って各セル内の画像データのデータ速度を制御ことができる。更に、本願発明に係わるネットワークポリシーを実施するシステムは、リアルタイムのネットワーク状況に応じて、無線ネットワークの各セルの過剰レベルに従ってネットワークポリシーを実施することができる。これらにより、無線ネットワーク内で適正な画像コード変換制御が行われる。
【００３２】
以上一般的な用語を用いて本発明を説明してきたが、以下の図面を簡単に説明する。
【図面の簡単な説明】
【００３３】
【図１】図１は、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ））の第３世代ネットワークアーキテクチュアを図示するハイレベルのブロック図である。
【図２】図２は、ロングタームエボリューション（Ｌｏｎｇ  Ｔｅｒｍ  Ｅｖｏｌｕｔｉｏｎ（ＬＴＥ））／システムアーキテクチュアエボリューション（Ｓｙｓｔｅｍ  Ａｒｃｈｉｔｅｃｔｕｒｅ  Ｅｖｏｌｕｔｉｏｎ（ＳＡＥ））の第４世代ネットワークアーキテクチュアを図示するブロック図である。
【図３】図３は、セル過剰に応じて画像コード変換速度を調整する方法の例を図示したフローチャートである。
【発明を実施するための形態】
【００３４】
本発明は、添付図面に関連して以後より詳細に説明される。しかしながら、本発明は、多くの異なる態様においても実施されることがあり、ここに説明される実施の形態に限定されるものとして解されるべきではない。むしろ、これらの実施の形態は、開示を完全且つ徹底するために提供されるのであり、いわゆる当業者に対し発明の範囲を確実に伝えるものである。当業者であれば、本発明の各種の実施の形態を用いることができる。
【００３５】
図１は、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ））の第３世代ネットワークアーキテクチュアを図示するハイレベルのブロック図であるが、それはユニバーサル地上波無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （ＵＴＲＡＮ））とＧＳＭ（登録商標）  ＥＤＧＥ無線アクセスネットワーク（ＧＳＭ（登録商標）  ＥＤＧＥ  Ｒａｄｉｏ  Ａｃｃｅｓｓ  Ｎｅｔｗｏｒｋ（ＧＥＲＡＮ））を含むこともできる。複数のノードＮｏｄｅＢ１０１であるネットワークエレメントは、それぞれのセル内にいる加入者に情報等を供給しており、更に、Ｉｕｂインタフェースを介してＲＮＣ１０３に接続されている。ＲＮＣ１０３は、Ｉｕ−ＰＳインタフェースを介してＳＧＳＮ１０４と、及び、Ｉｕ−ＣＳインタフェースを介してＭＳＣ１０５と連結されている。ＳＧＳＮ１０４は、Ｇｎインタフェースを介してインターネット１０７へのアクセスを提供するＧＧＳＮ１０６に連結している。セル１０２ａ，１０２ｂ内のユーザー機器（ＵＥ）１０８は、それぞれのノードＮｏｄｅＢ１０１ａ，１０１ｂと通信する。
【００３６】
例えば、プローブ１０８ａ，１０８ｂとモニタリングシステム制御器１０９を含むモニタリングシステムは、Ｉｕｂインタフェース及び／又はＩｕインタフェースに連結されている。プローブ１０８ａ，１０８ｂは、ＩｕｂインタフェースからのＲＲＣメッセージやＮＢＡＰメッセージ、更に、ＩｕインタフェースからのＡＬＣＡＰメッセージやＲＡＮＡＰメッセージのような、各インタフェースからのＰＤＵ及びセッションデータを集める。それぞれのプロバイダやネットワークオペレータは、ユーザーインタフェースステーション１１０を介してモニタリングシステム制御器１０９からのデータにアクセスすることが可能である。モニタリングシステム制御器１０９は、更に、収集されたデータパケットやユ−ザーセッションデータやセル記録構築情報やソフトウェアアプリケーション命令を格納するための内部又は外部のメモリ１１１を有することもできる。
【００３７】
モニタリングシステム制御器１０９は、その内部で、セパレートなブレードでプローブ１０８ａや１０８ｂが運転されているサーバー又は機器ラックのような一箇所に集中的に配置することもできる。それとは別に、プローブ１０８ａや１０８ｂはＲＮＣ１０３又はＳＧＳＮ１０４の近傍に配置されることも可能であり、モニタリングシステム制御器１０９から遠隔操作される。プローブ１０８ａや１０８ｂ及びモニタリングシステム制御器１０９は、一又はそれ以上のソフトウェアアプリケーションを運転する一又はそれ以上のプロセッサを有する。
【００３８】
図２は、ロングタームエボリューション（Ｌｏｎｇ  Ｔｅｒｍ  Ｅｖｏｌｕｔｉｏｎ  （ＬＴＥ））／システムアーキテクチュアエボリューション（Ｓｙｓｔｅｍ  Ａｒｃｈｉｔｅｃｔｕｒｅ  Ｅｖｏｌｕｔｉｏｎ（ＳＡＥ）））の第４世代ネットワークアーキテクチュアを図示するブロック図である。ＬＴＥ／ＳＡＥネットワーク技術は、高速なＩＰベースサービスを提供する移動体ネットワークエボリューションを示している。第３世代パートナーシッププロジェクト（３ＧＰＰ）として知られている、移動体規格を規定することを担当している規格化団体は、無線アクセスとコアネットワークエボリューションの双方を含む移動体通信システムの規格を定義した。この規格は、エボルブドパケットシステム（Ｅｖｏｌｖｅｄ  Ｐａｃｋｅｔ  Ｓｙｓｔｅｍ（ＥＰＳ））と名付けられており、ＵＴＲＡＮアクセスネットワークのエボリューション（発展したＵＴＲＡＮ（ｅＵＴＲＡＮ）２０１という）とコアネットワークの同時のエボリューション（Ｅｖｏｌｖｅｄ  Ｐａｃｋｅｔ  Ｃｏｒｅ  （ＥＰＣ２０２という）を規定している。ＬＴＥとＳＡＥはそれぞれｅＵＴＲＡＮ２０１とＥＰＣ２０２の同義語として一般的に用いられている。
【００３９】
このネットワークは、数多くの異なる種類のネットワークノードとインタフェースで構成されている。このノードには、例えば、セル２０４内の加入者に情報等を供給する拡張ノード（ｅＮｏｄｅＢ  又はｅＮｂ）２０３と、モビリティマネージメントエンティティ（ＭＭＥ）２０５と、サービングゲートウェイ（Ｓｅｒｖｉｎｇ  Ｇａｔｅｗａｙ  （Ｓ−ＧＷ））２０６と、パケットデータネットワークゲートウェイ（Ｐａｃｋｅｔ  Ｄａｔａ  Ｎｅｔｗｏｒｋ  Ｇａｔｅｗａｙ（ＰＤＮ−ＧＷ））２０７が含まれている。ＥＰＣ領域の各ノード間のインタフェースは、一般的に「Ｓ＃」のように符号付けされている。ノード（ｅＮｏｄｅＢ）間の「Ｘ２」インタフェースと ノードｅＮｏｄｅＢ２０３とユーザー機器２０８の間の空間インタフェースである）「Ｕｕ」インタフェースは、ｅＵＴＲＡＮの領域内に存在する。
【００４０】
ＥＰＳ技術の目的は、ユーザ利用可能な帯域を著しく増強することであり、同時に、無線接続のサービス品質Ｑｕａｌｉｔｙ  ｏｆ  Ｓｅｒｖｉｃｅ（ＱｏＳ）を改善することである。以下のノードがｅＵＴＲＡＮの領域内で作動する。ユーザー機器（ＵＥ）２０８は、エンドツーエンド（ｅｎｄ−ｔｏ−ｅｎｄ）サービスの加入者エンドポイントである。ＵＥ２０８は無線パス上でＵｕインタフェースを通ってノードｅＮｏｄｅＢ２０３と通信する。ノードｅＮｏｄｅＢ２０３は、ＵＥ２０８への無線パスを管理しており、物理的な無線確立と無線リンク制御とメディアアクセス制御の各機能を担当している。ノードｅＮｏｄｅＢ２０３は、また、無線パスへのデータを暗号化し、解読しており、無線リソース加入監督（Ｒａｄｉｏ  Ｒｅｓｏｕｒｃｅ  Ａｄｍｉｓｓｉｏｎ  ａｎｄ  Ｍａｎａｇｅｍｅｎｔ）を取り扱っている。
【００４１】
以下のノードがＥＰＣ領域内で作動する。ＭＭＥ２０５は、ＵＥ２０８から又はそれへの非アクセス層（Ｎｏｎ  Ａｃｃｅｓｓ  Ｓｔｒａｔｕｍ（ＮＡＳ））制御プレーンメッセージを管理するために応答するノードである。更に、ＭＭＥ２０５は、ユーザープレーントラフィックのためにＳ−ＧＷ２０６を選択する役割をし、ＬＴＥ／ＳＡＥ内のハンドオーバーを調整し、更に、必要な認証及びセキュリティー手順を確立する。ＭＭＥ２０５は、また、ＵＥ２０８へのベアラー割り当てを調整する。Ｓ−ＧＷ２０６は、ノードｅＮｏｄｅＢ２０３からのユーザープレーン接続のエンドポイントである。Ｓ−ＧＷ２０６は、ノードｅＮｏｄｅＢ２０３間のＵＥハンドオーバーの場合のユーザープレーン接続のアンカーである。ＰＤＮ−ＧＷ２０７は、ＥＰＣと例えばインターネット２０９のような外部のＰＤＮネットワークの間のインタフェースを提供するネットワークノードである。
【００４２】
ＬＴＥ／ＳＡＥネットワークのような複雑なシステムにおいては、ネットワーク性能を測定するタスクやネットワークオペレーションを修復するタスクやネットワークサービス品質を管理するタスクは、ネットワークオペレータにとって極めて難しい。新たなネットワーク技術の導入や展開のようなネットワークのエボリュージョンはネットワーク測定や修復や制御に更なる問題や別の不安定さを生み出しこととなる。これらのタスクを実行するために、ネットワークオペレータは、例えば、モニタリングシステム制御器１０９（図１参照）のような外部のモニタリングシステムをよく利用する。これらのモニタリングシステムは、モニタリングシステムがネットワークインタフェースからデータを見つけだすことを可能にする非割り込み（ｎｏｎ−ｉｎｔｒｕｓｉｖｅ）モードで一般的にネットワークと接続されていて、データを処理し、ネットワークオペレータがネットワークを管理するのに役立つ測定や報告を提供する。モニタリングシステムは、一般的には、加入者によって使用されたサービスの詳細な分析を提供するためには、そして、修復や最適化目的のためにネットワーク挙動についての情報を集めるためには、ＵＥの活動を探知する必要がある。
【００４３】
モニタリングシステム２１０は、ネットワーク内の一又はそれ以上のインタフェースから信号データを受動的に監視及び収集するためにＬＴＥ／ＳＡＥネットワーク内の各リンクに連結されていてもよい。モニタリングシステム２１０は、例えば、エンドポイントとしてのＭＭＥ２０５を有する、Ｓ１−ＭＭＥインタフェースやＳ１０インタフェースやＳ１１インタフェースを含むＥＰＣとｅＵＴＲＡＮインタフェース及びエンドポイントとしてのノードｅＮｏｄｅＢ２０３を有するＳ１−ＭＭＥとＸ２のインタフェースからユーザープレーンデータとコントロールプレーンデータを収集してもよい。ネットワーク内の他のインタフェース又はリンクのいくつか又はその全てがモニタリングシステム２１０により監視されていてもよいと考えられる。モニタリングシステム２１０は、ある実施の形態において、プロトコルデータユニット（Ｐｒｏｔｏｃｏｌ  Ｄａｔａ  Ｕｎｉｔ（ＰＤＵ））とｅＵＴＲＡＮ２０１とＥＰＣ２０２からのデータパケットを収集、相関、分析する一又はそれ以上のソフトウェアアプリケーションを走らせる一又はそれ以上のプロセッサによって構成されていてもよい。
【００４４】
サービスプロバイダやネットワークオペレータは、ユーザーインタフェースステーション２１１を介してモニタリングシステム２１０からのデータにアクセスすることが可能である。モニタリングシステム２１０は、更に、収集されたデータパケットやユ−ザーセッションデータやセル記録構築情報やソフトウェアアプリケーション命令を格納するための内部又は外部のメモリ２１２を有することもできる。
【００４５】
モニタリングシステム１０８−１１１（図１参照）及び２１０−２１２（図２参照）は、ネットワーク上のリンクやノードやアプリケーションやサーバによってＩＰトラフィックを特徴付けることによりオープンシステムインターコネクション（Ｏｐｅｎ  Ｓｙｓｔｅｍ  Ｉｎｔｅｒｃｏｎｎｅｃｔｉｏｎ（ＯＰＩ））レイヤー２〜レイヤー７修復を提供するプロトコル分析器の機能及び／又はセッション分析器の機能及び／又はトラフィック分析器の機能を装備していてもよい。このような機能は、たとえば、Ｔｅｋｔｏｒｏｎｉｘ社から提供される、Ｉｒｉｓ  Ａｎａｌｙｚｅｒ  ＴｏｏｌｓｅｔアプリケーションとＳｐＩｐｒｏｂｅｓを含むＧｅｏＰｒｏｂｅ  Ｇ１０  プラットフォームによって提供される。単独のモニタリングシステムプローブが図１及び２に図示されてはいるが、それは単純化するためであり、相互接続されたモニタリングシステムプローブのいくつでもネットワーク内の一又はそれ以上のインタフェースと接続することもできると考えられる。単独のモニタリングシステムプローブが特定のインタフェースからデータを収集してもよいし、二つ又はそれ以上のプローブが１つのインタフェースに接続してもよい。
【００４６】
モニタリングシステム２１０は、広帯域ＩＰトラフィックを取り扱うのに最適な高速で高密度のプローブのようなパケット収集機器を介してネットワークインタフェースと接続してもよい。モニタリングシステム２１０は、ネットワーク作動の中断なくインタフェースからメッセージトラフィックを受動的に収集する。モニタリングシステム２１０は、ネットワークインタフェースで特定のデータセッションに関連するパケットを収集して関連づけをしてもよい。ある実施の形態においては、５−ｔｕｐｌｅ関連メカニスム（５−ｔｕｐｌｅ  ａｓｓｏｃｉａｔｉｏｎ  ｍｅｃｈａｎｉｓｍ）を用いて関連のあるパケットを相関づけてもよい。 ５−ｔｕｐｌｅ関連処理は、サーバーＩＰアドレスとクライアントＩＰアドレスとソースポートと宛先ポートとレイヤー４プロトコル（ＴＣＰ又はＵＤＰ又はＳＣＴＰ）である５つの要素から成るＩＰ相関キーを用いる。関連するパケットは、ネットワーク上で特定のフローやセッションや呼のレコードに組み合わせることができる。
【００４７】
他の実施の形態においては、モニタリングシステム２１０は、例えば、ＭＭＥ又はＲＮＣに存在し、ノードへの若しくはノードからのデータパケットを収集するソフトウェアエージェントのような能動的な構成要素であってもよい。
【００４８】
予め記録されている画像ファイル若しくはライブ画像の供給から生じるストリーミングビデオは第３世代及び第４世代の無線ネットワークの加入者に関して非常に一般的である。画像ストリームは、一般に移動体ネットワーク外のソースにおいて開始し、インターネット（１０７又は２０９）を介してアクセスされねばならないことが度々ある。例えば、無線加入者（例えば、ＵＥ１０８又は２０８）は、遠隔操作のビデオサーバー（１１６又は２１５）とのデータセッションを確立することができる。第３世代の無線ネットワーク（図１参照）において、データセッションは、ＲＮＣ１０３とＳＧＳＮ１０４とＧＧＳＮ１０６を介してインターネット１０７において、そして、ビデオソースであるビデオサーバー１１６に亘って作り出される。第４世代の無線ネットワーク（図２参照）において、データセッションは、ＭＭＥ２０５とＳーＧＷ２０６とＰＤＮ−ＧＷ２０７を介してインターネット２０９において、そして、ビデオソースであるビデオサーバー２１５に亘って作り出される。無線加入者は、格納された画像ファイル若しくは、例えば、サーバー上にホストされているウェブページを介してビデオサーバー２１５からのライブ画像の供給を選択する。
【００４９】
ビデオサーバー（１１６又は２１５）は、インターネット（１０７又は２０９）を介して、選択された画像の画像データパケットを第３世代又は第４世代の無線ネットワークを通じて加入者に送り始める。画像データパケットには、選択された画像圧縮プロトコルを用いて圧縮されている画像情報を含んでいる。第３世代又は第４世代の無線ネットワークを通じて転送される画像情報の速度は、現状のネットワークリンクの容量によって決定される。ネットワークが大きなトラフィック負荷を経験している場合、そのネットワークは画像接続を確立するために十分な帯域を確保することができない。セッションがＵＥとビデオソースの間で確立されている場合には、ビデオパケットは遅延してしまうかも知れない。
【００５０】
ある種の状況の下で、おそらく、画像パケットはＵＥにとって十分な速度では加入者に届かず、選択された画像を正確に表示することはできないかも知れない。ＵＥは、次の画像データを待っている間フリーズした画像を表示することがあるかも知れない。加入者はいつも、見たくないこの種の画像を見せられており、結果的にネットワーク上の画像サービスにとって低品質（ｌｏｗ  Ｑｕａｌｉｔｙ  ｏｆ  Ｅｘｐｅｒｉｅｎｃｅ  （ＱｏＥ））となっている。例えば、選択された画像が８００ｋｐｂｓを必要とするが、しかし、移動体ネットワークが５００ｋｐｂｓの有効容量しかない場合には、ネットワークはセッションを確立できないかも知れない。ネットワークがセッションを確立できない場合、有効帯域は８００ｋｂｐｓでの画像送信をサポートすることはなく、結果的に加入者にとって非常に貧弱な経験となる。ＵＥが引き続きバッファされたデータから運転し、そして、バッファを再び満たさなくてはならないので、よくても、プレーバックの初め／終わりを見ることとなる。
【００５１】
画像コード変換は、第３世代及び第４世代の移動体ネットワークでの画像送信を最適化するために用いられうる。一般に、コード変換機器は、画像コンテンツを低ビットレートにコード変換するように設計されている。例えば、当初して８００ｋｂｐｓで送られた画像パケットは、コード変換機器により、ユーザー認識品質においてほとんど品質低下を伴わずに、４００−５００ｋｐｂｓに再コード化されうる。コード変換は、適切な場合画面解像度を下げるためにも適用されうる。例えば、移動体電話やＰＤＡのような多くの加入者の機器は、小さな表示画面を有している。画像は、通常、ユーザーの楽しみを明らかに喪失することなくこれらの小さな画面においても低解像度で表示されうる。画像データの容量は、画面解像度を下げることによって、減少することができ結果的にネットワークによってサポートされる全データの低速化となりうる。
【００５２】
画像データは、移動体ネットワークに入るに先立って、若しくは、ネットワークのエッジで低ビットレートにコード変換される。そして、コード変換された、低速のデータは、加入者に送られる。これらのビットレート低速化は、ネットワーク利用における直接の節約に対応し、それは移動体のオペレータに対し２つの大きな利益を提供することとなる。すなわち、設備投資（ｃａｐｅｘ）／運用コスト（ｏｐｅｘ）の減少（同じコンテンツがより少ないインフラストラクチャで送信されること）と品質ＱｏＥの改善（帯域を最適化することでより多くのユーザーが高品質ＱｏＥを有することができること）である。
【００５３】
画像コード変換の利用は有効であるけれども、移動体ネットワークの状況のリアルタイムの認識に基づいて適応コード変換をすることは現在において解決されていない。そのかわりに、現時点での解決法は、あるレベルの有効帯域を想定し、そして、現実のネットワーク状況とは無関係に全てのデータ速度を低下させることである。フィードバックやネットワークの状況の情報がないと、コード変換プロセスは固定的な方法で構築されねばならない。オペレータはせいぜい時間による異なるコード変換設定を試みることができる程度である。次いで、画像コード変換システムは、特定の最適化決定によって影響を受けたネットワークリソースの認識を有していないか若しくは、それに関するフィードバックも受けていない。例えば、上記のようなモニタリングシステムのようなネットワーク情報システムを使用すると、ネットワーク内で実際に起こっていることに基づいて品質ＱｏＥとリソース利用を最適化するような方法でコード変換速度を選択するために使用されるリアルタイムのデータが利用できる。
【００５４】
セル過剰のような画像データ速度の低速化により、移動体ネットワークの無線アクセス部分において、度々、リソースが不足する。モニタリングシステムのある実施の形態は、セルについてのあるレベルに対し過剰が存在しているのか非存在なのかを特定することができる。モニタリングシステムは、そして、この情報をポリシー制御機構に供給することができる。セル過剰が存在すると、画像コード変換が過剰のセルに送られているコンテンツに対しより積極的なレベルに設定される。セル過剰レベルが低下すると、コード変換はデフォルトに戻されてより消極的なレベルとなる。
【００５５】
第３世代のネットワークにおいて、図１に示されているように、ＧＧＳＮ１０６の前後の箇所のコード変換機器１１２又は１１３でコード変換が行われる。ポリシー決定ポイント（Ｐｏｌｉｃｙ  Ｄｅｃｉｓｉｏｎ  Ｐｏｉｎｔ（ＰＤＰ））／ポリシー実施ポイント（Ｐｏｌｉｃｙ  Ｅｎｆｏｒｃｅｍｅｎｔ  Ｐｏｉｎｔ（ＰＥＰ））１１４は、モニタリングシステムからの情報に基づいてコード変換機器１１２と１１３を制御することができる。例えば、モニタリングシステム１０９がセル１０２ａ又は１０２ｂのセル過剰を特定すると、モニタリングシステム１０９はＰＤＰ／ＰＥＰ１１４に過剰レベルを知らせる。
ＰＤＰ／ＰＥＰ１１４は、そして、コード変換機器１１２及び又は１１３に命じて過剰のセル内のＵＥへのパケットに対し低速の画像データを用いるようにする。他の実施の形態においては、モニタリングシステムはセル過剰の制限をＰＤＰ／ＰＥＰ１１４を使用することなく直接にコード変換機器１１２及び又は１１３に対して特定する。
【００５６】
モニタリングシステムの実施の形態は、また、他の適応コード変換シナリオをサポートする。モニタリングシステムは、価値の高い加入者若しくはそうでない加入者又はある種の機器のタイプのような、顧客区分に画像トラフィックを分類することができ、そして、それぞれに異なるコード変換スキームを適用して所望の区分に対する品質ＱｏＥを強化することもできる。
【００５７】
モニタリングシステムは、また、干渉レベルのような無線キー実行インジケータ（Ｒａｄｉｏ  Ｋｅｙ  Ｐｅｒｆｏｒｍａｎｃｅ  Ｉｎｄｉｃａｔｏｒ（ＫＰＩ）をモニタし、更に、異なるコード変換スキームを適用して無線悪化による品質ＱｏＥ問題を改善することもできる。
【００５８】
コード変換の最大限の利点がモニタリング情報を用いて得られる。ネットワーク過剰があると、より積極的なコード変換最適化を実施することで、より多くのユーザーが画像を受け取ることができる。 ネットワーク過剰がない場合、より消極的なコード変換を用いてユーザー体験での画質を高める。どのような場合でも、キャリアネットワークインフラストラクチャは、近い将来において全ての移動体ネットワークについて予想される移動体の画像トラフィックが支配的であるいずれのネットワークに対しても減少することができる。減少したインフラストラクチャは、直接の設備投資の回避と継続中の運用コストの節約を意味する。
【００５９】
サービスプロバイダは、ネットワーク内でどのようにコード変換を取り扱うのかを制御するポリシーを確立することができる。ある実施の形態において、このポリシー実施はセル過剰に基づく。もし、サービスプロバイダがどのようなタイプの加入者がネットワークを利用しているのかを知っていて、どこでセル過剰が起こるのかを特定できれば、 サービスプロバイダは画像データ速度を減速してネットワーク内で多くの加入者が利用できるレベルに有効帯域を維持する。モニタリングシステムは、どの加入者がセルに入ってくるのか、どの加入者がセルを離れるのか、どの加入者がセル内にとどまっているのかを特定する。この情報を用いて、モニタリングシステムは、過剰となったセルを特定することができる。例えば、無線リソース制御（Ｒａｄｉｏ  Ｒｅｓｏｕｒｃｅ  Ｃｏｎｔｒｏｌ  （ＲＲＣ）メッセージと無線アクセスベアラ（Ｒａｄｉｏ  Ａｃｃｅｓｓ  Ｂｅａｒｅｒ（ＲＡＢ）メッセージは、いつ加入者がノードＮｏｄｅＢに加わったかそして加わった加入者がいつ呼を発するようにしたのかを特定するために用いられる。どの加入者が帯域を使用しているのか、（例えば、音声、高速データ、低速データのような）利用のタイプを特定することで、サービスプロバイダはいつセルが過剰となるか若しくはそれに近づくのかを特定することができる。モニタリングシステムは、セルが過剰状態となるか若しくはそれに近い状態になると、ＰＤＰ／ＰＥＰに警告又はきっかけを提供する。そして、画像データ速度は制御されて、セル過剰を緩和するか又はセル過剰の効果を最低限にする。
【００６０】
同様に、第４世代のネットワークにおいても、図２に示されているように、ＰＤＮ−ＧＷ２０７とインターネット２０９の間の部材であるコード変換機器２１３によってコード変換が行われうる。ＰＤＰ／ＰＥＰ２１４は、モニタリングシステム２１０からの情報を用いてコード変換機器２１３を制御する。
【００６１】
図３は、セル過剰に応じて画像コード変換速度を調整する方法の例を図示したフローチャートである。工程３０１において、データがネットワークインタフェースから収集される。上記のようなモニタリングシステムが、ネットワークインタフェースのメッセージトラフィックからデータを収集するために用いられる。工程３０２において、モニタリングシステム又は他の処理機器が、無線ネットワークの各セルに対して過剰レベルを決定する。このセル過剰レベルは、例えば、無線リソースアロケーションメッセージやＵＥ加入メッセージのような収集されたデータに基づいて決定される。次いで、各セルにおいてＵＥに音声とデータのセッションを確立するメッセージがモニタされて各セル内のトラフィックレベルを特定する。
【００６２】
工程３０３において、モニタリングシステムがいつセル過剰レベルが第１の閾値を越えるのかを決定する。この第１の閾値は、例えば、あるパーセンテージだけでセル利用可能な帯域が残っている点、若しくは、使用中の帯域の量があるレベルを超えた時点を示すために、選択されることもあり得る。工程３０４において、モニタリングシステムが画像コード変換機器にセルがいつセル過剰レベルの閾値を越えたのかを知らせる。モニタリングシステムは、直接若しくはＰＤＰ／ＰＥＰのような中間に介在する機器を通して、画像コード変換機器に通信することができる。モニタリングシステムは、工程３０５において、セル特定子及び／又はＩＰアドレスのデータリスト及び／又は加入者特定子のリストを画像コード変換機器に提供する。このセル特定子及び／又はＩＰアドレスのデータリスト及び／又は加入者特定子のリストは、どのデータパケットが過剰セルに送られているのかを特定するために、画像コード変換機器により用いられる。例えば、画像コード変換機器は、受け取った画像データパケットの宛先ＩＰアドレス若しくはＵＥ又は加入者特定子を分析することもできる。
【００６３】
工程３０６において、画像コード変換機器が、過剰セルに向けられた画像信号の全て若しくはその一部をコード変換する。このコード変換は、過剰セル内の加入者に提供されている画像データの速度を減少させる効果を有している。このコード変換の効果は、ユーザー機器が引き続き受け取った画像データを処理して表示することができるようにする適切な方法で実現される。例えば、画像コード変換機器又はモニタリングシステムやＰＤＰ／ＰＥＰのような他の機器は過剰セルに供給しているノードＮｏｄｅＢ又は過剰セル内のユーザー機器にメッセージを送り、それらにその画像データ速度ではやがて起こるであろう変化（徐々に起こる変化又は急に起こる変化）を知らせることができる。
【００６４】
工程３０７において、モニタリングシステムが、引き続きセル過剰レベルをモニタし続け、工程３０８で、いつセル過剰レベルが第２の閾値以下に低下するのかを決定する。そして、工程３０９で、モニタリングシステムは、画像コード変換機器にセルが第２の閾値以下になったことを知らせる。
【００６５】
第２の閾値はどのような値にも設定可能であるが、ある実施の形態おいては、第２の閾値は第１の閾値以下に設定されて画像コードレートのヒステリシスを防止する。これは、画像コードレートがセル過剰レベルにおける些細な変化に起因するノーマルなコードレートと減少したコードレートの間での過度に上下循環する状況を回避するものである。ある実施の形態において、例えば、第１の閾値はセルリソース又は容量の８０％に設定される。有効帯域の量が８０％に達するか、又は、セルの有効な無線リソースの８０％が割り当てられると、モニタリングシステムは画像コード変換機器にそのセル内の加入者又はユーザー機器に対して画像データ速度を減少するか否かを知らせる。画像データ速度の最初の減少は、実際のデマンドにおける変化なしに、使用中の帯域量を即座に減少する効果を有するものと思われる。第２の閾値のデマンドレベルは、第１の閾値以下に設定されねばならず、さもないと、当初のデータ速度の減少に起因する帯域利用の明らかな減少がシステムを起動して画像データ速度が再び増加されうることを示す。
【００６６】
他の実施に形態において、複数の過剰の閾値又はデマンドの閾値が設定されて、モニタリングシステムと画像コード変換機器が、デマンドが増加すると徐々に画像データ速度を低下させ、そして、デマンドが減少すると徐々に画像データ速度を増加させるようにしてもよい。工程３１０において、工程３０９からの通知を受けた後で、画像コード変換機器が画像データ変換を低下するか又は停止し、そして、より高速なデータ速度の画像信号を以前過剰であったセル内の加入者に送れるようにする。
【００６７】
更に他の実施の形態において、モニタリングシステムと画像コード変換機器が、セル内の加入者をグループとして又は個別に取り扱うこともできる。画像コード変換は、セル内の全ての加入者に均等に適用されるようにしてもよいし、各加入者に対する画像コード変換速度が自由に選択できるようにしてもよい。モニタリングシステムは、過剰セル内の加入者又はユーザー機器をそれら各々の画像使用又はデマンドレベルによりランク付けしてもよい。供給されるライブ画像をよくストリーミングしている加入者又は映画のような大容量の画像ファイルをよくダウンロードしている加入者は、時折又はたまに画像ファイルをダウンロードしている加入者と比べて、利用規模おいてより高位にランク付けされることもある。モニタリングシステムは、加入者への同一の供給源から予め設定された期間における予め決められた量のデータ転送を観察することに基づいて、ライブ画像の供給又は映画の画像を特定することもできる。モニタリングシステム及び／又は画像コード変換機器は、ダウンロード中の画像データのタイプと量に依存して異なる方法で異なる加入者を取り扱うようにしてもよい。例えば、モニタリングシステムは、たまに利用するユーザーの画像データに比べて、供給されるライブ画像をよくストリーミングしている加入者のような、大量の画像を利用している高位のユーザーの画像データをより早期に減速するようにすることもできる。他のシステムにおいて、現在供給されるライブ画像をストリーミングしている高位のユーザー又は加入者は、その現状の利用レベルのまま維持しておくようにすることもできるが、一方、新たな画像デマンドは低画像データ速度となりやすい。
【００６８】
それとは別に、例えば、サービス契約又はユーザー機器のタイプに基づいて、各ユーザーに加入者プロファイルを割り当てることもできる。モニタリングシステム及び／又はＰＤＰ／ＰＥＰ及び／又は画像コード変換機器は、加入者プロファイルに基づいて個々の加入者の画像がどのように調整されるのかを決定することもできる。
【００６９】
セル過剰レベルは、例えば、過剰やリエスタブリシュメント解除や優先的な解除に対応する無線リソース制御（Ｒａｄｉｏ  Ｒｅｓｏｕｒｃｅ  Ｃｏｎｔｒｏｌ（ＲＲＣ））原因値を有する無線アクセスベアラ（Ｒａｄｉｏ  Ａｃｃｅｓｓ  Ｂｅａｒｅｒ（ＲＡＢ））接続拒否又は解除を特定することによって、決定することができる。それとは別に、セル過剰レベルは、利用できないダウンリンク（ＤＬ）無線リソースや利用できないアップリンク（ＵＬ）無線リソースや利用できないノードＮｏｄｅＢリソースに対応するノードＮｏｄｅＢアプリケーションパート（Ｎｏｄｅ  Ｂ  Ａｐｐｌｉｃａｔｉｏｎ  Ｐａｒｔ（ＮＢＡＰ））原因値を特定することによっても、決定することができる。 モニタリングシステムは、Ｉｕ−ＣＳインタフェースやＩｕ−ＰＳインタフェースやＳ１−ＭＭＥインタフェースやＸ２インタフェースやＳ１１インタフェースを含め、無線アクセスネットワーク（Ｒａｄｉｏ  Ａｃｃｅｓｓ  Ｎｅｔｗｏｒｋ  （ＲＡＮ））インタフェースやＵＴＲＡＮインタフェースやｅＵＴＲＡＮインタフェースのようなネットワークインタフェースからメッセージを収集することもできる。
【００７０】
モニタリングシステムは、ポリシー実施ポイント（Ｐｏｌｉｃｙ  Ｅｎｆｏｒｃｅｍｅｎｔ  Ｐｏｉｎｔ（ＰＥＰ））、ポリシー決定ポイント（Ｐｏｌｉｃｙ  Ｄｅｃｉｓｉｏｎ  Ｐｏｉｎｔ（ＰＤＰ））、ポリシー課金及び制御（Ｐｏｌｉｃｙ  Ｃｈａｒｇｉｎｇ  ａｎｄ  Ｃｏｎｔｒｏｌ（ＰＣＣ））機能、ポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ（ＰＣＲＦ））、又は、ポリシー及び課金実行機能（Ｐｏｌｉｃｙ  ａｎｄ  Ｃｈａｒｇｉｎｇ  Ｅｘｅｃｕｔｉｏｎ  Ｆｕｎｃｔｉｏｎ（ＰＣＥＦ））のようなネットワークポリシー管理エンティティと通信し、過剰セル内で画像データ速度制御を実施することもできる。
【００７１】
上記の説明において提供された教示のために、この発明の多くの改作と他の実施の形態が当業者には想起されるでしょう。したがって、本発明が開示された特定の実施の形態に限定されるべきではないと理解されるべきである。ここに特定の用語が用いられているが、それらは一般的で説明的な意味で使用されているのであって、制限的に用いられているものではない。
【産業上の利用可能性】
【００７２】
本発明は、無線ネットワークにおいて画像コード変換を適応制御することに利用される。
【符号の説明】
【００７３】
１０１ａ、１０１ｂ．．．ノードＮｏｄｅＢ
１０２ａ、１０２ｂ．．．セル
１０３．．．ＲＮＣ
１０４．．．ＳＧＳＮ
１０５．．．ＭＳＣ
１０６．．．ＧＧＳＮ
１０７．．．インターネット
１０８．．．ユーザー機器（ＵＥ）
１０８ａ，１０８ｂ．．．プローブ
１０９．．．モニタリングシステム制御器
１１０．．．ユーザーインタフェースステーション
１１１．．．内部又は外部のメモリ
１１２．．．コード変換器
１１３．．．コード変換器
１１４．．．ＰＤＰ／ＰＥＰ
１１６．．．ビデオサーバー
２０３．．．ノードｅＮｏｄｅＢ又はｅＮｂ
２０４．．．セル
２０５．．．ＭＭＥ
２０６．．．Ｓ−ＧＷ
２０７．．．ＰＤＮ−ＧＷ
２０８．．．ユーザー機器（ＵＥ）
２０９．．．インターネット
２１０．．．モニタリングシステム
２１１．．．ユーザーインタフェースステーション
２１２．．．内部又は外部のメモリ
２１３．．．コード変換器
２１４．．．ＰＤＰ／ＰＥＰ
２１５．．．ビデオサーバー
【図１】
2012142946.tif 000003
【図２】
2012142946.tif 000004
【図３】
2012142946.tif 000005